(57)【要約】【課題】容易に使用できる扇風機を提供する。【解決手段】扇風機１は、電動工具用バッテリ２３が取外し可能に取付けられるバッテリ取付部１６と、電動工具用バッテリ２３を電源とする電動モータ１１と、電動モータ１１により回転する羽根１２を有する。さらに扇風機１は、羽根１２を収容する本体ハウジング１３と、設置面に設置されかつ本体ハウジング１３を設置面に対して起立させる台座２０を有する。そして扇風機１は、扇風機１を吊り下げることを可能とするように本体ハウジング１３に設けられて掛け対象部材２５に引っ掛けられるフック１８を有する。【選択図】図５
2018053770.tif 000002
【特許請求の範囲】
【請求項１】
バッテリ式扇風機であって、
電動工具用バッテリが取外し可能に取付けられるバッテリ取付部と、
前記電動工具用バッテリを電源とする電動モータと、
前記電動モータにより回転する羽根と、
前記羽根を収容しかつ前記バッテリ取付部を備える本体ハウジングと、
設置面に設置されかつ前記本体ハウジングを前記設置面に対して起立させる台座と、
前記バッテリ式扇風機を吊り下げることを可能とするように前記本体ハウジングまたは前記台座に設けられて掛け対象部材に引っ掛けられるフックを有するバッテリ式扇風機。
【請求項２】
請求項１に記載のバッテリ式扇風機であって、
前記フックは、前記台座が前記本体ハウジングより下に位置する姿勢において前記バッテリ式扇風機を吊り下げることを可能とするように前記本体ハウジングまたは前記台座に設けられているバッテリ式扇風機。
【請求項３】
請求項１または２に記載のバッテリ式扇風機であって、
前記フックは、前記本体ハウジングまたは前記台座に対して回転または移動可能に取付けられ、かつ１箇所以上の位置で解除可能に保持されるバッテリ式扇風機。
【請求項４】
請求項１〜３のいずれか１つに記載のバッテリ式扇風機であって、
前記フックは、前記バッテリ取付部に回転可能に取付けられ、前記バッテリ取付部から延出するアームと、前記アームの先端に設けられる掛け部を有し、前記掛け部が前記バッテリ取付部と前記台座の間に位置する格納位置と、前記掛け部が前記バッテリ取付部に対して前記台座の反対側に位置する使用位置とに移動するように前記フックが回転するバッテリ式扇風機。
【請求項５】
請求項４に記載のバッテリ式扇風機であって、
前記本体ハウジングは、前記電動モータを収容するモータハウジングを有し、
前記モータハウジングの後ろ面に前記バッテリ取付部が設けられ、
前記使用位置における前記掛け部は、前記本体ハウジングから離れる方向に前記アームから延出しかつ前記バッテリ取付部の後ろ面を超えないように位置するバッテリ式扇風機。
【請求項６】
請求項１〜５のいずれか１つに記載のバッテリ式扇風機であって、
前記フックは、前記本体ハウジングの後方において前後方向に回転可能に取付けられ、
前記台座は、前記本体ハウジングに対して前後方向に回転可能に取付けられ、
前記フックまたは前記台座の少なくとも１つを前記本体ハウジングに対して複数の位置で保持する位置調整機構が設けられ、前記フックによって前記バッテリ式扇風機を前記掛け対象部材から吊り下げた状態で前記位置調整機構によって前記フックまたは前記台座を前記本体ハウジングに対して位置調整することで重量バランスをとることができるバッテリ式扇風機。
【請求項７】
バッテリ式扇風機であって、
電動工具用バッテリが取外し可能に取付けられるバッテリ取付部と、
前記電動工具用バッテリを電源とする電動モータと、
前記電動モータにより回転する羽根と、
前記羽根を収容しかつ前記バッテリ取付部を備える本体ハウジングと、
設置面に設置されかつ前記本体ハウジングを保持する台座と、
前記台座が前記本体ハウジングより上に位置する姿勢において前記バッテリ式扇風機を吊り下げるように前記台座に設けられて掛け対象部材に引っ掛けられるフックと、
前記バッテリ式扇風機が前記掛け対象部材に吊り下げられた状態で前記本体ハウジングの向きを左右方向に調整可能とするように前記本体ハウジングを前記台座に対して左右方向に回転可能に支持する左右方向角度調整機構を有するバッテリ式扇風機。
【請求項８】
請求項７に記載のバッテリ式扇風機であって、
前記台座は、前記設置面に設置されるベースと、前記左右方向角度調整機構によって前記ベースに対して回転可能に取付けられる支持枠を有し、
前記支持枠は、前記ベースから前記本体ハウジングの左右両側に延出しかつ前記本体ハウジングの左右両側において前記本体ハウジングを上下方向に回転可能に支持する支持アームを有するバッテリ式扇風機。
【請求項９】
請求項７または８に記載のバッテリ式扇風機であって、
前記フックは、前記台座に回転または移動可能に取付けられ、
前記台座の底面に前記フックが収容される収容溝が設けられているバッテリ式扇風機。
【請求項１０】
請求項１〜９のいずれか１つに記載のバッテリ式扇風機であって、
前記バッテリ取付部に取付けられる電動工具用バッテリを有し、
前記電動工具用バッテリは、出力電圧が１０．８Ｖであり、前記バッテリ取付部にスライド可能に取付けられ取付面と、前記バッテリ取付部に覆われずに露出される５つの面を有する略直方体であるバッテリ式扇風機。
【発明の詳細な説明】
【技術分野】
【０００１】
本発明は、取外し可能に装着されるバッテリを利用するバッテリ式扇風機に関し、例えばバッテリは、電動工具に使用される充電式バッテリである。
【背景技術】
【０００２】
バッテリ式扇風機は、一般家庭の電源（例えば交流１００Ｖ）を必要としないため、建築工事現場等の様々な場所に持ち運んで使用できる。しかもバッテリは、扇風機から取外されて充電器で充電されることで繰り返し使用され得る。建築工事現場等では、電気ドリルやねじ締め機等の電動工具の電源として電動工具用バッテリが利用される。その電動工具用バッテリを利用する電気機器（例えば投光器、扇風機）が引用文献１に開示されている。
【０００３】
特許文献１には扇風機が開示されている。扇風機は、電動モータにより回転する羽根をガード部内に収容した本体部と、本体部を設置面上に設置させる台座部を備える。台座部は、設置面上に接地される基台部と基台部から上方に延びる脚部を備える。脚部を介して本体部が台座部に支持される。電動モータに電力を供給するバッテリパックが本体部を設置させた状態で本体部または台座部に取り外し可能に装着される。
【先行技術文献】
【特許文献】
【０００４】
【特許文献１】特許第５３６７７６６号公報
【発明の概要】
【発明が解決しようとする課題】
【０００５】
しかし扇風機は、狭い場所等で使用することがあるため、使用がより容易な扇風機が従来必要とされている。例えば扇風機を吊り下げることに適した構造、あるいは扇風機を吊り下げた状態において上下方向ではなく、左右方向に風の向きを変えることのできる構造が必要とされている。
【課題を解決するための手段】
【０００６】
本発明の１つの特徴においてバッテリ式扇風機は、電動工具用バッテリが取外し可能に取付けられるバッテリ取付部と、電動工具用バッテリを電源とする電動モータと、電動モータにより回転する羽根を有する。さらに扇風機は、羽根を収容しかつバッテリ取付部を備える本体ハウジングと、設置面に設置されかつ本体ハウジングを設置面に対して起立させる台座を有する。そして扇風機は、バッテリ式扇風機を吊り下げることを可能とするように本体ハウジングまたは台座に設けられて掛け対象部材に引っ掛けられるフックを有する。
【０００７】
したがって扇風機は、車両内のアシストグリップ、パーテーションパイプ等に吊り下げられる。そのため扇風機を車両内等において簡便に利用きる。扇風機は、例えば台座が本体ハウジングより下に位置する姿勢において掛け対象部材に吊り下げられる。この場合、扇風機は、台座の重さを利用して安定的に吊り下げられる。
【０００８】
本発明の他の特徴においてバッテリ式扇風機は、電動工具用バッテリが取外し可能に取付けられるバッテリ取付部と、電動工具用バッテリを電源とする電動モータと、電動モータにより回転する羽根を有する。さらに扇風機は、羽根を収容しかつバッテリ取付部を備える本体ハウジングと、設置面に設置されかつ本体ハウジングを保持する台座と、台座が本体ハウジングより上に位置する姿勢においてバッテリ式扇風機を吊り下げるように台座に設けられて掛け対象部材に引っ掛けられるフックを有する。
【０００９】
さらに扇風機は、バッテリ式扇風機が掛け対象部材に吊り下げられた状態で本体ハウジングの向きを左右方向に調整可能とするように本体ハウジングを台座に対して左右方向に回転可能に支持する左右方向角度調整機構を有する。したがって扇風機を吊り下げた状態において本体ハウジングの向きを左右方向に変えることで風の向きを左右方向に調整することができる。
【図面の簡単な説明】
【００１０】
【図１】扇風機の正面図である。
【図２】扇風機の背面図である。
【図３】扇風機の右側面図である。
【図４】フックを使用位置にした際の扇風機の背面図である。
【図５】フックを使用位置にした際の扇風機の右側面図である。
【図６】フックを使用位置にした際のフックの平面図である。
【図７】台座の平面図である。
【図８】台座の下面図である。
【図９】図１のＩＸ―ＩＸ線断面矢視図である。
【図１０】図１のＸ―Ｘ線断面矢視図である。
【図１１】図３のＸＩ―ＸＩ線断面矢視図である。
【図１２】他の実施形態にかかる扇風機の正面図である。
【図１３】図１２の扇風機の右側面図である。
【図１４】他の実施形態にかかる扇風機の正面図である。
【図１５】図１４の扇風機の右側面図である。
【図１６】他の実施形態にかかるベースとフックの下面図である。
【図１７】図１６のフックを使用位置にして扇風機を吊り下げた際の扇風機の一部正面図である。
【図１８】図１７の扇風機の一部右側面図である。
【発明を実施するための形態】
【００１１】
本発明の一つの実施の形態を図１〜８を参照して説明する。図１，２に示すように扇風機１は、本体１０と本体１０を支持する台座２０を備える。本体１０は、電動モータ１１（直流モータ）と、電動モータ１１で回転する羽根（ファン）１２と、羽根１２の周囲を覆う本体ハウジング１３を有する。羽根１２は、図１に示すように電動モータ１１に装着される中央部と、中央部から放射線状に延出する複数の片を有する。羽根１２は、例えば３枚羽根形式であって、３つの片を有する。
【００１２】
図１〜３に示すように本体ハウジング１３は、円形椀形の前ガード１３ａと後ろガード１３ｂを前後方向に相互に接続することで形成される。本体ハウジング１３は、羽根１２の外周を覆う円筒状の外周ガード１３ｃと、外周ガード１３ｃの前側にて羽根１２の前を保護する網目部と、外周ガード１３ｃの後ろ側にて羽根１２の後ろを保護する網目部を有する。網目部は、径方向に延出する放射枠１３ｄ，１３ｇと周方向に延出する周方向枠１３ｅ，１３ｈを有する。
【００１３】
図３，９に示すように本体ハウジング１３は、電動モータ１１を覆うモータハウジング１４と、モータハウジング１４の後面に設けられるバッテリ取付部１６と、扇風機１を運ぶ際に把持されるハンドル１５を有する。ハンドル１５は、外周ガード１３ｃの上部に沿って形成される。ハンドル１５は、外周ガード１３ｃの上部後ろ面から後方に張り出す。ハンドル１５の左右部には、径方向中心に向けて延出するリブが形成される。ハンドル１５は、バッテリ取付部１６よりも後方に突出せず、かつユーザの指先が引っ掛かる程度の前後長さを有する。
【００１４】
図２，３に示すように電動モータ１１とモータハウジング１４は、本体ハウジング１３の径方向中心に位置する。電動モータ１１とモータハウジング１４は、後ろガード１３ｂ内に位置するように本体ハウジング１３の後部領域内に位置する。モータハウジング１４は、円筒状であって電動モータ１１を収容する。モータハウジング１４は、後ろガード１３ｂに一体に形成、または後ろガード１３ｂに装着される。
【００１５】
図２，３に示すようにモータハウジング１４の後部にはバッテリ２３が取外し可能に取付けられるバッテリ取付部１６が設けられる。バッテリ取付部１６は、バッテリ２３の一部が挿入される凹部と、バッテリ２３をスライド可能に案内するレールを有する。バッテリ２３は、レールに沿ってバッテリ取付部１６の凹部に上方から装着される。
【００１６】
図２，３を参照するようにバッテリ２３は、充電式電動工具用であって、例えば電動ねじ締め機やグラインダ等の電動工具の電源として利用される。バッテリ２３は、リチウムイオンバッテリであって、例えば１０．８Ｖの直流電流を出力する。バッテリ２３に代えて、出力電圧が１８Ｖ、１４．４Ｖ等のバッテリを扇風機１に利用しても良い。バッテリ２３は、略矩形状であって、バッテリ取付部１６に取付けられる取付面と、露出される５面を有する。バッテリ２３は、バッテリ取付部１６を介してモータハウジング１４内に設けられた制御盤の電源回路に電気的に接続される。バッテリ２３の出力電力は、電源回路を経て電動モータ１１に供給される。
【００１７】
図２，３に示すようにバッテリ２３の１端部（図中上端部）に取外しボタン２３ａが設けられる。バッテリ２３は、ロック機構によってバッテリ取付部１６にロックされており、取外しボタン２３ａを後方にスライドさせることでロック機構がロック解除される。バッテリ２３は、ロック機構をロック解除した状態にて上方にスライドされることで、バッテリ取付部１６から取外される。バッテリ２３は、別途用意した充電器で充電でき、繰り返し電源として利用可能である。
【００１８】
図１に示すように本体ハウジング１３には、使用者が操作する操作パネル２４が設けられる。操作パネル２４は、外周ガード１３ｃの上部前面に取付けられる。操作パネル２４は、制御盤の入力回路と電気的に接続される。操作パネル２４の左領域には、押されることで電動モータ１１をＯＮ／ＯＦＦさせる電源ボタン２４ａが配置される。電動モータ１１がＯＮになることで羽根１２が回転して風が発生する。図９〜１１に示すように電動モータ１１は、固定子１１ａと、固定子１１ａの外周に装着される回転子１１ｂを有する。固定子１１ａにコイルが設けられ、回転子１１ｂに磁石が設けられる。固定子１１ａのコイルに電流が供給されることで、回転子１１ｂに取付けられた羽根１２が回転子１１ｂとともに回転する。電動モータ１１がＯＦＦになることで、固定子１１ａへの電力供給が遮断されて羽根１２の回転が停止する。
【００１９】
図１に示すように操作パネル２４の右領域には、風量切り換えボタン２４ｂが設けられる。風量切り換えボタン２４ｂを押す回数によって風量の強弱が三段階に切り換えられる。切り換えられた風量は、操作パネル２４の中央領域に配置された三つの風量表示ランプ２４ｃの点灯数によって知ることができる。
【００２０】
図２〜５に示すように扇風機１は、吊り下げて利用するためのフック１８を有する。フック１８は、本体１０に回転可能に取付けられて図２，３に示す格納位置と、図４，５に示す使用位置との間で移動する。フック１８は、本体ハウジング１３の一部、詳しくはバッテリ取付部１６に回転可能に取付けられるアーム１８ａと、アーム１８ａの端部に形成される掛け部１８ｂを有する。
【００２１】
図２，４に示すようにアーム１８ａの一端部は、バッテリ取付部１６の左右部に回転可能に取付けられる取付部１８ｈを有する。取付部１８ｈは、水平線方向に突出し、アーム１８ａをバッテリ取付部１６に対して水平線周りに上下方向に回転可能に取付ける。アーム１８ａの回転中心は、羽根１２の回転中心であるＹ軸線よりも上方に位置する。アーム１８ａは、取付部１８ｈから延出する左右の基片１８ｅと、基片１８ｅからさらに延出する左右の先端片１８ｆと、左右の先端片１８ｆの先端を連結する連結部１８ｇを有する。左右の基片１８ｅの距離は、バッテリ２３の幅よりも広い。左右の先端片１８ｆの距離は、左右の基片１８ｅの距離よりも広く、かつハンドル１５の幅よりも広い。
【００２２】
図２，３に示すようにフック１８を格納位置にした際、先端片１８ｆは、基片１８ｅより下方に位置する。先端片１８ｆは、基片１８ｅから後方に延出するように基片１８ｅに対して角度を有する。連結部１８ｇは、左右の先端片１８ｆ間を延出し、外周ガード１３ｃに対応する円弧状である。連結部１８ｇに掛け部１８ｂが設けられる。
【００２３】
図２，３に示すように掛け部１８ｂは、アーム１８ａの先端からアーム１８ａの延出方向と略直交する方向に突出する。掛け部１８ｂは、フック１８が図３に示す格納位置においてアーム１８ａから本体ハウジング１３に向けて延出している。掛け部１８ｂは、フック１８が図５に示す使用位置においてアーム１８ａから本体ハウジング１３から離れる方向に突出する。
【００２４】
図５に示すようにアーム１８ａと掛け部１８ｂの間には、掛け対象部材２５が設置される掛け領域１８ｄが形成される。掛け対象部材２５が掛け領域１８ｄに下後方から挿入されるようにフック１８が掛け対象部材２５に引っ掛けられる。掛け対象部材２５は、例えば車両内のアシストグリップ、パーテーションパイプ等の車両部品、あるいは作業現場等のパイプ、梁、はしご等である。
【００２５】
図４〜６に示すように掛け部１８ｂの先端には、掛け対象部材２５が掛け部１８ｂから外れることを防止する外れ防止部１８ｃが形成される。外れ防止部１８ｃは、フック１８が使用位置に位置する際、掛け部１８ｂの先端から下方に突出する。アーム１８ａの先端は、アーム１８ａが使用位置に位置する際に本体ハウジング１３の上方に位置する。掛け部１８ｂは、アーム１８ａの先端から上後方に延出する。掛け部１８ｂの先端は、本体ハウジング１３の後ろ面よりも後方に位置し、モータハウジング１４の後面よりも前方に位置する。掛け領域１８ｄは、モータハウジング１４の上方に位置し、掛け対象部材２５がモータハウジング１４の上方に配置される。使用位置のフック１８は、バッテリ２３よりも後方に突出しておらず、好ましくはモータハウジング１４よりも後方に突出していない。
【００２６】
図１〜３に示すようにフック１８は、格納位置に位置する際、本体ハウジング１３の後面の下領域に沿う。掛け部１８ｂは、台座２０のベース２１の上方に位置し、バッテリ２３の下方に位置する。フック１８は、使用位置と格納位置において解除可能に保持され、好ましくは使用位置と格納位置の間の複数の位置において位置調整機構１９によって解除可能に保持される。
【００２７】
図１１に示すように位置調整機構１９は、フック１８の各端部に設けられる。フック１８の各端部は、螺子１８ｊによってバッテリ取付部１６に回転可能に取付けられる。位置調整機構１９は、螺子１８ｊの径方向外側に配置されたリング状の弾性部材１９ａを有する。弾性部材１９ａは、例えば樹脂製であって、爪を一体に有する。バッテリ取付部１６は、弾性部材１９ａに対面する円周上において凹部と凸部を交互に備える位置決め領域１９ｂを有する。螺子１８ｊを中心に、フック１８とリング状の弾性部材１９ａを一体的にバッテリ取付部１６に対して回転させることで、弾性部材１９ａの爪が弾性変形して、バッテリ取付け部１６に設けられた位置決め領域１９ｂの凸部を超える。そして爪が弾性戻りすることで爪が位置決め領域１９ｂの凹部に入る。これによりフック１８がバッテリ取付部１６に対して複数の位置で保持される。例えば位置調整機構１９によってフック１８がバッテリ取付部１６に対して３０°等の所定角度毎に解除可能に保持される。フック１８とリング状の弾性部材１９ａは、別部品であっても良いし、同一の部品で構成されても良い。位置決め領域１９ｂは、バッテリ取付け部１６と同一の部品で構成されても良いし、別部品であってバッテリ取付け部１６に相対的に移動しないように取付けられても良い。
【００２８】
図１〜３に示すように台座２０は、設置面に設置されるベース２１と、ベース２１に装着される支持枠２２を有する。ベース２１は、図７に示すように長方形状の設置部２１ａと、設置部２１ａの角を覆う脚部２１ｂを有する。設置部２１ａは、比較的小さい平板状であって、左右長さが本体１０の左右幅と略同じであり、前後長さが本体１０の前後長さの約１．５〜２倍である。接地面は、扇風機１を屋外で利用する際において地面等である。扇風機１を車内で利用する際においての接地面は、シート等であり、扇風機１を屋内で利用する際においての接地面は、床等である。
【００２９】
図１〜３に示すように脚部２１ｂは、例えばエラストマー製であって、羽根１２が回転する際に生じる振動が本体ハウジング１３から設置面に伝わることを抑制する。図８に示すように設置部２１ａには、孔２２ｃ，２２ｅが形成される。孔２２ｃが設置部２１ａの角に形成されることで、角にバー２２ｄが現れる。バー２２ｄに外付けフック等が掛けられ、フック等によって扇風機１を逆さに吊り下げることができる。フック等には、Ｓ字フック、紐等が含まれる。
【００３０】
図８に示すように複数の孔２２ｅが設置部２１ａに形成され、隣接する孔２２ｅの間にバー２２ｆが現れる。バー２２ｆに外付けのフック等が掛けられ、フック等によって扇風機１を逆さに吊り下げることができる。外付けのフックの１例として、Ｓ字形状のフックが利用可能である。設置部２１ａには、壁等に装着されたねじ等が挿入される凹部２２ｇが形成される。凹部２２ｇは、ねじの頭が挿入できる大きさの径を有する円形状の穴本体２２ｈと、ねじの頭が挿入不能でねじの脚が挿入可能な幅を有して穴本体２２ｈから延出する長穴２２ｉを有する。したがってねじを凹部２２ｇに挿入することで扇風機１を壁等に引っ掛けることができる。
【００３１】
図８に示すように台座２０には、扇風機１を三脚等に固定するための貫通穴２６ａとインサートナット２６ｂが設けられる。貫通穴２６ａは、台座２０を上下方向に貫通する。貫通穴２６ａは、図７，８に示すように支持枠２２の内周面からベース２１の底面の略中心に貫通する。貫通穴２６ａにボルト等が挿通され、ボルトの先端が三脚等に螺合される。これにより扇風機１が三脚等に固定され得る。あるいは貫通穴２６ａにベース２１の下方より、三脚等に設けられたボルト等が挿通され、ベース２１の上方で貫通穴２６ａより大きいナットが螺合される。これにより扇風機１が三脚等に固定され得る。インサートナット２６ｂは、ベース２１の中心近傍、例えば中心よりも少し後側に位置する。インサートナット２６ｂは、ベース２１に埋設され、ベース２１から下方に開口する。インサートナット２６ｂに三脚等に設けられたボルトが螺合される。これにより扇風機１が三脚等に固定され得る。
【００３２】
図２，７に示すように支持枠２２は、ベース２１に回転可能に装着される回転部２２ａと、回転部２２ａから延出する支持アーム２２ｂを有する。回転部２２ａは、円盤状であって設置部２１ａに形成された円盤状の凹部に設置される。したがって回転部２２ａは、設置部２１ａに対して垂直方向に延出する垂直線（Ｚ軸）を中心に回転可能に取付けられる。回転部２２ａとベース２１の間には、回転部２２ａがベース２１に対して所定の回転範囲を超えて回転することを規制するストッパが設けられても良い。例えばストッパは、図１の状態において本体１０が右へ９０度、左へ９０度を超えて回転することを規制する。
【００３３】
図１に示すように回転部２２ａは、左右方向角度調整機構２１ｃによってベース２１に対して左右方向に回転可能に支持される。左右方向角度調整機構２１ｃは、回転部２２ａをベース２１に対して所定の角度で弾性的に保持し、本体ハウジング１３の向きを左右方向に調整可能とする。これにより風の向きを左右方向に調整できる。
【００３４】
図９に示すように左右方向角度調整機構２１ｃは、１つまたは複数、例えば２つの位置保持部材２１ｄと、位置保持部材２１ｄを付勢するばね（例えばコイルばね）を有する。位置保持部材２１ｄは、回転部２２ａに上下方向に移動可能に取付けられる。ばねは、回転部２２ａに設けられて位置保持部材２１ｄをベース２１に向けて付勢する。ベース２１は、位置保持部材２１ｄに対応する円周上において凹部と凸部を交互に備える位置決め領域２１ｅを有する。回転部２２ａをベース２１に対して回転させることで、位置保持部材２１ｄがばねの力に抗して上方に移動して位置決め領域２１ｅの凸部を超える。そしてばねの力を利用して位置保持部材２１ｄが位置決め領域２１ｅの凹部に入る。これにより支持枠２２がベース２１に対して複数の位置で解除可能に保持される。
【００３５】
図２に示すように左右の支持アーム２２ｂは、回転部２２ａから外周ガード１３ｃの外周に沿って円弧状に延出する。支持アーム２２ｂの先端は、本体ハウジング１３の側部に位置し、本体ハウジング１３を回転可能に支持する。例えば、支持アーム２２ｂの先端に、水平方向に延出するピンが設けられ、ピンによって本体ハウジング１３が水平線Ｘを中心に回転可能に支持アーム２２ｂに取付けられる。水平線Ｘの高さは、羽根１２の回転中心と同じ高さに設定される。
【００３６】
図２に示すように本体ハウジング１３は、位置調整機構２２ｋによって支持アーム２２ｂに対して回転可能に支持される。位置調整機構２２ｋは、本体ハウジング１３を支持アーム２２ｂに対して所定の角度で弾性的に保持する。したがって本体ハウジング１３の上下方向角度を位置調整機構２２ｋによって調整することで風向きを上下方向に調整できる。
【００３７】
図１０に示すように位置調整機構２２ｋは、支持アーム２２ｂの左右各端部に設けられる。支持アーム２２ｂの左右各端部には、本体ハウジング１３の左右部から突出する回転軸１３ｊが回転可能に挿入される。位置調整機構２２ｋは、支持アーム２２ｂに設けられる位置保持部材２２ｍと、位置保持部材２２ｍを付勢するばね（例えばコイルばね）を有する。位置保持部材２２ｍは、支持アーム２２ｂにおいて回転軸１３ｊに向けて移動可能に取付けられる。ばねは、支持アーム２２ｂに設けられて位置保持部材２２ｍを回転軸１３ｊに向けて付勢する。回転軸１３ｊは、位置保持部材２２ｍに対応する外周上において凹部と凸部を交互に備える位置決め領域２２ｎを有する。回転軸１３ｊを中心に本体ハウジング１３を支持アーム２２ｂに対して回転させることで、位置保持部材２２ｍがばねの力に抗して回転軸１３ｊから離れて位置決め領域２２ｎの凸部を超える。そしてばねの力を利用して位置保持部材２２ｍが位置決め領域２２ｎの凹部に入る。これにより本体ハウジング１３が支持アーム２２ｂに対して所定角度毎に解除可能に保持される。
【００３８】
上述するように扇風機１は、図５を参照するように電動工具用バッテリ２３が取外し可能に取付けられるバッテリ取付部１６と、電動工具用バッテリ２３を電源とする電動モータ１１と、電動モータ１１により回転する羽根１２を有する。さらに扇風機１は、羽根１２を収容しかつバッテリ取付部１６を備える本体ハウジング１３と、設置面に設置されかつ本体ハウジング１３を設置面に対して起立させる台座２０を有する。そして扇風機１は、台座２０が本体ハウジング１３より下に位置する姿勢において扇風機１を吊り下げることを可能とするように本体ハウジング１３に設けられて掛け対象部材２５に引っ掛けられるフック１８を有する。
【００３９】
したがって扇風機１は、設置面に設置した姿勢のまま掛け対象部材２５に対して吊り下げることができる。そのため扇風機１を安定良く吊り下げることができる。例えば車両内のアシストグリップ、パーテーションパイプに吊り下げる場合、扇風機１に車の振動等が伝わる場合がある。これに対して台座２０が本体ハウジング１３よりも下に位置するため、扇風機１が台座２０の重さを利用して安定的に吊り下げられる。
【００４０】
図２，４に示すようにフック１８は、本体ハウジング１３に対して回転可能に取付けられ、かつ１箇所以上の位置で解除可能に保持される。したがって扇風機１を吊り下げた状態において本体ハウジング１３に対するフック１８の位置を変えることで、扇風機１から発生する風向きを調整することができる。
【００４１】
図２，３に示すようにフック１８は、本体ハウジング１３の一部であるバッテリ取付部１６に取付けられる。したがってフック１８は、比較的重い電動工具用バッテリ２３の近傍に位置するために、扇風機１を重量バランス良く吊り下げることができる。
【００４２】
図３，５に示すように本体ハウジング１３は、電動モータ１１を収容するモータハウジング１４を有する。モータハウジング１４の後ろ面にバッテリ取付部１６が設けられる。フック１８は、バッテリ取付部１６に回転可能に取付けられてバッテリ取付部１６から延出するアーム１８ａと、アーム１８ａの先端に設けられる掛け部１８ｂを有する。掛け部１８ｂがバッテリ取付部１６と台座２０の間に位置する格納位置と、掛け部１８ｂがバッテリ取付部１６に対して台座２０の反対側に位置する使用位置とに移動するようにフック１８が回転する。
【００４３】
したがってフック１８を格納位置にした場合、掛け部１８ｂがモータハウジング１４と台座２０の間に収納されることで邪魔にならない。フック１８を使用位置にした場合は、掛け部１８ｂがモータハウジング１４より上方に位置するため、比較的重い電動モータ１１が掛け部１８ｂより下側に位置する。これにより扇風機１が安定良く吊り下げられる。しかもフック１８は、比較的重い電動モータ１１の近傍に位置するために、扇風機１を重量バランス良く吊り下げることができる。
【００４４】
図５に示すように本体ハウジング１３は、モータハウジング１４の後ろ面に設けられるバッテリ取付部１６を有する。使用位置における掛け部１８ｂは、本体ハウジング１３から離れる方向にアーム１８ａから延出しかつバッテリ取付部１６の後ろ面を超えないように位置する。したがって掛け部１８ｂよりも前方に本体ハウジング１３が位置し、掛け部１８ｂよりも後方にバッテリ２３が位置する。そのため掛け部１８ｂを掛け対象部材２５に引っ掛けて扇風機１を吊り下げた際、扇風機１が重量バランス良く吊り下げられ得る。
【００４５】
図３，５に示すようにフック１８は、本体ハウジング１３の後方において前後方向に回転可能に取付けられる。台座２０は、本体ハウジング１３に対して前後方向に回転可能に取付けられる。フック１８または台座２０の少なくとも１つを本体ハウジング１３に対して複数の位置で保持する位置調整機構１９，２２ｋが設けられる。フック１８によってバッテリ式扇風機１を掛け対象部材２５から吊り下げた状態で位置調整機構１９，２２ｋによってフック１８または台座２０を本体ハウジング１３に対して位置調整することで重量バランスをとることができる。したがって扇風機１からの風向きを所定の角度に調整しつつ扇風機１を掛け対象部材２５から重量バランス良く吊り下げることができる。
【００４６】
図１〜８に示す扇風機１に代えて図１２，１３に示す扇風機１Ａであっても良い。扇風機１Ａは、図１に示す本体１０と同様に形成された本体１０Ａと、図１に示す台座２０と同様に形成された台座２０Ａを備える。本体１０Ａは、照明ユニット３５を有する点において本体１０と相違する。本体１０Ａには図２に示すフック１８に代えて図１３に示すフック３７が取付けられる。
【００４７】
図１２，１３に示すように本体１０Ａは、羽根１２の周囲を覆う本体ハウジング３３と、本体ハウジング３３を支持する支持枠３２を有する。本体ハウジング３３は、前ガード３３ａと後ろガード３３ｂを有する。本体ハウジング３３は、羽根１２の外周を覆う外周ガード３３ｃと、羽根１２の前および後ろを保護する放射枠３３ｄと周方向枠３３ｅを有する。本体ハウジング３３の後領域に電動モータ１１を覆うモータハウジング３８が位置する。モータハウジング３８の後ろ面にバッテリ取付部３６が設けられる。モータハウジング３８が後ろガード３３ｂ内に位置し、バッテリ取付部３６が後ろガード３３ｂから後方に突出する。バッテリ取付部３６にバッテリ２３（図３参照）が取外し可能に取付けられる。
【００４８】
図１２，１３に示すように本体ハウジング３３は、中央前部から前方に突出する略円筒状の取付部３３ｆを有する。取付部３３ｆに操作パネル３４と照明ユニット３５が設けられる。操作パネル３４は、取付部３３ｆの上面に設けられ、操作パネル３４の左領域に電動モータ１１をＯＮ／ＯＦＦするための電源ボタン３４ａが配置される。
【００４９】
図１２に示すように操作パネル３４の右領域には、風量を切り換えるための風量切り換えボタン３４ｂと、所定時間後に停止させるためのタイマーボタン３４ｃが配置されている。風量切り換えボタン３４ｂを押す回数によって、複数の風量設定から任意の風量を選択できる。タイマーボタン３４ｃを押す回数によって、停止させるまでの時間を任意に選択できる。操作パネル３４の左領域には、照明ボタン３４ｄが配置される。照明ボタン３４ｄを押すことで照明ユニット３５の発光ダイオード３５ｂをＯＮ／ＯＦＦすることができる。
【００５０】
図１２，１３に示すように照明ユニット３５は、本体ハウジング３３に回転可能に取付けられる照明本体３５ａと、照明本体３５ａに設けられる発光ダイオード（ＬＥＤ）３５ｂを有する。照明本体３５ａは、取付部３３ｆの凹部に収容されて、取付部３３ｆに対して水平線周りに回転可能に取付けられる。例えば照明本体３５ａは、左右両部に回転軸部を有し、回転軸部が取付部３３ｆに回転可能に取付けられる。照明本体３５ａは、例えば本体ハウジング３３との間に生じる摩擦を利用して所定角度で保持できる。そのため本体ハウジング３３の向きによって風向きを設定しつつ、照明ユニット３５を本体ハウジング３３に対して角度調整することで照明方向を設定できる。かくして風向きと照明方向を別個に調整できる。
【００５１】
図１３に示すように扇風機１Ａを吊り下げて利用するためのフック３７が扇風機１Ａに設けられる。フック３７は、バッテリ取付部３６に回転可能に取付けられてバッテリ取付部３６またはモータハウジング３８の下方の格納位置と、バッテリ取付部３６またはモータハウジング３８の上方の使用位置との間で回転する。フック３７は、例えば金属製の棒であって、半楕円形に延出する本体３７ａと、本体３７ａの両端に位置する装着部３７ｂを有する。装着部３７ｂがバッテリ取付部３６の左右部に回転可能に装着される。回転中心は、例えば羽根１２（図１２参照）の回転中心と同じ高さに位置する。本体３７ａが使用位置とされ、本体３７ａが掛け対象部材に引っ掛けられることで、扇風機１Ａが掛け対象部材に吊り下げられる。
【００５２】
図１２，１３に示すように台座２０Ａは、ベース３１と、ベース３１に対して垂直線Ｚ回りに回転可能に装着される支持枠３２を有する。ベース３１は、長方形状の設置部３１ａと、設置部３１ａの角を覆う脚部３１ｂを有する。支持枠３２は、設置部３１ａに回転可能に装着される回転部３２ａと、回転部３２ａから延出する左右の支持アーム３２ｂを有する。回転部３２ａは、円盤状であってベース３１に対して垂直線Ｚを中心に回転可能に取付けられる。本体ハウジング３３が左右の支持アーム３２ｂに対して水平線Ｘ回りに回転可能に取付けられる。
【００５３】
図１〜８に示す扇風機１に代えて図１４，１５に示す扇風機１Ｂであっても良い。扇風機１Ｂは、図１に示す本体１０と同様に形成された本体１０Ｂと、図１に示す台座２０と同様に形成された台座２０Ｂを備える。本体１０Ｂは、発光ダイオード４５を有する点において本体１０と相違する。本体１０Ｂには、図２に示すフック１８に代えて図１３に示すフック３７が取付けられる。
【００５４】
図１４，１５に示すように本体１０Ｂは、羽根１２の周囲を覆う本体ハウジング４３と、本体ハウジング４３を支持する支持枠４２を有する。本体ハウジング４３は、前ガード４３ａと後ろガード４３ｂを有する。本体ハウジング４３は、羽根１２の外周を覆う外周ガード４３ｃと、羽根１２の前および後ろを保護する放射枠４３ｄと周方向枠４３ｅを有する。本体ハウジング４３の後部に電動モータ１１を覆うモータハウジング４８が位置する。モータハウジング４８の後ろ面にバッテリ取付部４６が設けられる。モータハウジング４８が後ろガード４３ｂ内に位置し、バッテリ取付部４６が後ろガード４３ｂから後方に突出する。バッテリ取付部４６にバッテリ２３（図３参照）が取外し可能に取付けられる。
【００５５】
図１４，１５に示すように本体ハウジング４３は、中央前部から前方に突出する略円筒状の取付部４３ｆを有する。取付部４３ｆに操作パネル４４と発光ダイオード（ＬＥＤ，照明具）４５が設けられる。操作パネル４４は、取付部４３ｆの上面に設けられ、操作パネル４４の左領域に電動モータ１１をＯＮ／ＯＦＦする電源ボタン４４ａが配置されている。
【００５６】
図１４に示すように操作パネル４４の右領域には、風量を切り換えるための風量切り換えボタン４４ｂと、所定時間後に停止させるためのタイマーボタン４４ｃが配置されている。風量切り換えボタン４４ｂを押す回数によって、複数の風量設定から任意の風量を選択できる。タイマーボタン４４ｃを押す回数によって、停止させるまでの時間を任意に選択できる。切り換えられたタイマー時間は、タイマーボタン４４ｃに隣接して配置された三つのタイマーランプ４４ｅの点灯数によって知ることができる。操作パネル４４の左領域には、照明ボタン４４ｄが配置され、照明ボタン４４ｄを押すことで発光ダイオード４５をＯＮ／ＯＦＦできる。
【００５７】
図１４に示すように発光ダイオード４５は、本体ハウジング４３の取付部４３ｆの前面に設けられる。複数の発光ダイオード４５は、取付部４３ｆの外周縁に沿って円弧線上に並ぶように配設される。発光ダイオード４５は、操作パネル４４よりも羽根１２の回転中心側に配列される。
【００５８】
図１５に示すようにフック３７は、バッテリ取付部４６に回転可能に取付けられてバッテリ取付部４６またはモータハウジング４８の下方の格納位置と、バッテリ取付部４６またはモータハウジング４８の上方の使用位置との間で回転する。フック３７は、羽根１２（図１４参照）の回転中心と同じ高さにおいてバッテリ取付部４６に回転可能に装着される。
【００５９】
図１４，１５に示すように台座２０Ｂは、ベース４１と、ベース４１に装着される支持枠４２を有する。ベース４１は、長方形状の設置部４１ａと、設置部４１ａの角を覆う脚部４１ｂを有する。支持枠４２は、ベース４１に起立する起立部４２ａと、起立部４２ａから本体ハウジング４３の外周縁に沿って延出する左右の支持アーム４２ｂを有する。本体ハウジング４３が左右の支持アーム４２ｂに対して水平線Ｘ回りに回転可能に取付けられる。
【００６０】
扇風機１，１Ａ，１Ｂに代えて図１６〜１８に示す扇風機１Ｃであっても良い。扇風機１Ｃは、例えば図１２に示す本体１０Ａと同様に形成された本体１０Ｃと、図１２に示す台座２０Ａと同様に形成された台座２０Ｃを備える。扇風機１Ｃは、図２に示すフック１８あるいは図１３，１２に示すフック３７に代えてフック５３を有する。
【００６１】
図１６〜１８に示すように台座２０Ｃは、ベース５１と、ベース５１に装着される支持枠５２を有する。ベース５１は、長方形状の設置部５１ａと、設置部５１ａの角を覆う脚部５１ｂを有する。支持枠５２は、ベース５１に対して垂直線Ｚ回りに回転可能に装着される。支持枠５２は、設置部５１ａに回転可能に装着される回転部５２ａと、回転部５２ａから延出する左右の支持アーム５２ｂを有する。本体１０Ｃが左右の支持アーム５２ｂに対して水平線回りに回転可能に取付けられる。
【００６２】
図１７，１８に示すように回転部５２ａとベース５１の間には、回転部５２ａをベース５１に対して所定の角度で弾性的に保持する左右方向角度調整機構５１ｆが設けられる。左右方向角度調整機構５１ｆは、板バネ等の弾性部材を有し、弾性部材の弾性力を利用して支持枠５２をベース５１に対して複数の位置で保持する。
【００６３】
図１６〜１８に示すように扇風機１Ｃの台座２０Ｃにフック５３が設けられる。フック５３が掛け対象部材２５に引っ掛けられることで、扇風機１Ｃが掛け対象部材２５に吊り下げられる。この時、扇風機１Ｃは、台座２０Ｃが本体１０Ｃより上に位置する姿勢になる。フック５３は、ベース５１の底面５１ｃに回転可能に取付けられて図１６に示す格納位置と、図１７，１８に示す使用位置との間で移動する。格納位置においてフック５３は、ベース５１の底面５１ｃに沿って配置され、設置部５１ａの底面５１ｃに形成された収容溝５１ｄに収容される。あるいはフック５３は、設置部５１ａと設置面の間に形成される隙間に収納される。該隙間は、脚部５１ｂが設置部５１ａから設置面に向けて突出するために形成される。
【００６４】
図１６〜１８に示すようにフック５３は、ベース５１に回転可能に取付けられる取付部５３ａを有する。取付部５３ａは、例えばベース５１の左縁または右縁近傍に形成された取付溝５１ｅに取付けられる。右側のフック５３は、格納位置において取付部５３ａから左側へ延出するように配置される。左側のフック５３は、取付部５３ａから右側へ延出するようにかつ右側のフック５３と略平行に配置される。
【００６５】
図１６〜１８に示すようにフック５３は、取付部５３ａから直線状に延出する第１部５３ｂ、第１部５３ｂの先端から第１部５３ｂに対して斜めに延出する第２部５３ｃ、第２部５３ｃの先端から第１部５３ｂと同じ方向に延出する第３部５３ｄ、第３部５３ｄ先端から第２部５３ｃに対応する方向に略円弧状に延出する先端部５３ｅを有する。フック５３は、使用位置においてベース５１から本体１０Ｃと反対方向に延出する。フック５３を掛け対象部材２５に吊り下げると、掛け対象部材２５の下に本体１０Ｃが位置する。フック５３は、取付部５３ａを中心にベース５１に対して所望の角度になるように設定され得る。
【００６６】
上述する扇風機１Ｃは、図５を参照するように電動工具用バッテリ２３が取外し可能に取付けられるバッテリ取付部１６と、電動工具用バッテリ２３を電源とする電動モータ１１と、電動モータ１１により回転する羽根１２を有する。さらに扇風機１Ｃは、図１７に示すように羽根１２を収容しかつバッテリ取付部１６を備える本体ハウジング１３と、設置面に設置されかつ本体ハウジング１３を保持する台座２０Ｃと、台座２０Ｃが本体ハウジング１３より上になる姿勢で扇風機１Ｃを吊り下げるように台座２０Ｃに設けられて掛け対象部材２５に引っ掛けられるフック５３を有する。
【００６７】
さらに扇風機１Ｃは、図１７に示すように扇風機１Ｃが掛け対象部材２５に吊り下げられた状態で本体ハウジング１３の向きを左右方向に調整可能とするように本体ハウジング１３を台座２０Ｃに対して左右方向に回転可能に支持する左右方向角度調整機構５１ｆを有する。したがって扇風機１Ｃを吊り下げた状態において本体ハウジング１３の向きを左右方向に変えることで風の向きを左右方向に調整することができる。
【００６８】
図１７に示すように台座２０Ｃは、設置面に設置されるベース５１と、左右方向角度調整機構５１ｆによってベース５１に対して回転可能に取付けられる支持枠５２を有する。支持枠５２は、ベース５１から本体ハウジング１３の左右両側に延出する支持アーム５２ｂを有する。支持アーム５２ｂは、本体ハウジング１３の左右両側において本体ハウジング１３を上下方向に回転可能に支持する。したがってベース５１に対して支持枠５２を回転させることで左右方向に風向きを調整できる。支持枠５２に対して本体ハウジング１３を回転させることで上下方向に風向きを調整できる。
【００６９】
図１６に示すようにフック５３は、台座２０Ｃの底面５１ｃに設けられる。したがって台座２０Ｃを設置面に設置した状態においてフック５３の全てまたは一部が台座２０Ｃによって隠される。これにより扇風機１Ｃの美観が向上する。
【００７０】
図１６，１４に示すように台座２０Ｃにフック５３が回転可能に取付けられる。台座２０Ｃの底面５１ｃにフック５３が収容される収容溝５１ｄが設けられている。したがってフック５３を収容溝５１ｄに収容させることでフック５３を台座２０Ｃに安定良く設置させ得る。フック５３を収容溝５１ｄから取り出すことで、フック５３を使用位置に移動させることができる。
【００７１】
扇風機１は、図４に示すようにフック１８を有し、フック１８は、本体ハウジング１３の一部、例えばバッテリ取付部１６に設けられる。フック１８を掛け対象部材２５に掛けることで扇風機１は、台座２０が本体１０より下に位置する姿勢において掛け対象部材２５に吊り下げられる。フック１８に代えて他のフックを有し、該フックを利用して台座２０が本体１０より下に位置する姿勢において扇風機１を吊り下げる構造であっても良い。例えばバッテリ取付部１６ではなく本体ハウジング１３の他の部分、例えば外周ガード１３ｃにフックが設けられても良い。あるいは台座２０、例えば台座２０の支持枠２２の左右部から延出するようにフックを設けても良い。
【００７２】
図２，４に示すようにフック１８は、本体ハウジング１３に回転可能に取付けられる。これに代えてフック１８は、本体ハウジング１３に移動可能、例えばスライド可能に取付けられても良い。具体的にはフック１８は、本体ハウジング１３の後ろ面に沿う格納位置と、格納位置から上方にスライドされて掛け部１８ｂが本体ハウジング１３より上方となる使用位置に移動されても良い。あるいはフック１８は、本体ハウジング１３に対して移動せず、例えば図４に示す使用位置において本体ハウジング１３に固定されても良い。
【００７３】
図１３，１２に示す扇風機１Ａ，１Ｂは、本体ハウジング３３に自由回転可能に装着されるフック３７を有する。これに代えて扇風機１Ａ，１Ｂは、本体ハウジング３３に対してフック３７を複数の位置で解除可能に保持する位置調整機構を有していても良い。例えば位置調整機構は、板ばね等の弾性部材を有し、弾性部材の弾性力を利用してフック３７を本体ハウジング３３に対して所定の角度毎に保持しても良い。
【００７４】
図１６〜１８に示す扇風機１Ｃは、台座２０Ｃに自由回転可能に装着されるフック５３を有する。これに代えて扇風機１Ｃは、台座２０Ｃに対してフック５３を複数の位置で解除可能に保持する位置調整機構を有していても良い。例えば位置調整機構は、板ばね等の弾性部材を有し、弾性部材の弾性力を利用してフック５３を台座２０Ｃに対して所定の角度毎に保持しても良い。
【００７５】
図１６〜１８に示すフック５３は、ベース５１の底面５１ｃに回転可能に取付けられている。これに代えてフック５３は、ベース５１内に収納可能および／または移動可能に取付けられても良い。該フック５３をベース５１から引き出すことで、フック５３を掛け対象部材２５に引っ掛けることができる。
【００７６】
図２，３に示すように扇風機１は、モータハウジング１４の後ろ面にバッテリ取付部１６を有する。この構造に代えて扇風機１は、台座２０等の他の部分にバッテリ取付部１６を有していても良い。
【００７７】
図５に示すようにフック１８は、使用位置において本体ハウジング１３から離れる方向にアーム１８ａから延出する掛け部１８ｂを有する。掛け部１８ｂに代えてあるいは加えてフック１８は、使用位置においてアーム１８ａから前方に延出する掛け部を有していても良い。該掛け部は、本体ハウジング１３の上方においてアーム１８ａから前方に延出する。そのため該掛け部に掛け対象部材２５が前下側から掛けられる。
【００７８】
上述する扇風機１，１Ａ，１Ｂ，１Ｃに電動工具用バッテリ２３が装着される。電動工具用バッテリ２３からの電力によって電動モータ１１が駆動する。これに加え、扇風機１，１Ａ，１Ｂ，１Ｃに、一般家庭の電源等が接続されるケーブルが接続されても良い。この場合、ケーブルを介して一般家庭の電源等からの電力が電動モータ１１に供給される。この場合、電動モータ１１が電動工具用バッテリ２３からの電力に代えて一般家庭の電源からの電力によって駆動され得る。
【００７９】
添付の図面を参照して詳細に上述した種々の実施例は、本発明の代表例であって本発明を限定するものではありません。詳細な説明は、本教示の様々な態様を作成、使用および／または実施するために、当業者に教示するものであって、本発明の範囲を限定するものではありません。更に、上述した各付加的な特徴および教示は、改良されたバッテリ式扇風機および／またはその製造方法と使用方法を提供するため、別々にまたは他の特徴および教示と一緒に適用および／または使用され得るものです。
【符号の説明】
【００８０】
１，１Ａ，１Ｂ，１Ｃ 扇風機
１０，１０Ａ，１０Ｂ，１０Ｃ       本体
１１   電動モータ
１２   羽根
１３，３３，４３     本体ハウジング
１４，３８，４８     モータハウジング
１５   ハンドル
１６，３６，４６     バッテリ取付部
１８，３７，５３     フック
１８ａ アーム
１８ｂ 掛け部
１９，２２ｋ  位置調整機構
２０，２０Ａ，２０Ｂ，２０Ｃ       台座
２１，３１，４１，５１      ベース
２１ｃ，５１ｆ       左右方向角度調整機構
２２，３２，４２，５２      支持枠
２２ｂ，３２ｂ，４２ｂ，５２ｂ     支持アーム
２３   バッテリ
２４，３４，４４     操作パネル
２５   掛け対象部材
３５   照明ユニット
４５   発光ダイオード
【図１】
2018053770.tif 000003
【図２】
2018053770.tif 000004
【図３】
2018053770.tif 000005
【図４】
2018053770.tif 000006
【図５】
2018053770.tif 000007
【図６】
2018053770.tif 000008
【図７】
2018053770.tif 000009
【図８】
2018053770.tif 000010
【図９】
2018053770.tif 000011
【図１０】
2018053770.tif 000012
【図１１】
2018053770.tif 000013
【図１２】
2018053770.tif 000014
【図１３】
2018053770.tif 000015
【図１４】
2018053770.tif 000016
【図１５】
2018053770.tif 000017
【図１６】
2018053770.tif 000018
【図１７】
2018053770.tif 000019
【図１８】
2018053770.tif 000020
【手続補正書】
【提出日】平成29年6月27日(2017.6.27)
【手続補正１】
【補正対象書類名】明細書
【補正対象項目名】００７３
【補正方法】変更
【補正の内容】
【００７３】
図１２〜図１５に示す扇風機１Ａ，１Ｂは、本体ハウジング３３に自由回転可能に装着されるフック３７を有する。これに代えて扇風機１Ａ，１Ｂは、本体ハウジング３３に対してフック３７を複数の位置で解除可能に保持する位置調整機構を有していても良い。例えば位置調整機構は、板ばね等の弾性部材を有し、弾性部材の弾性力を利用してフック３７を本体ハウジング３３に対して所定の角度毎に保持しても良い。